(57)【要約】      （修正有）【課題】  支柱に対して架設部材を取り外さなくても、支柱に対してフロントパネルを最適な位置に取り付けることができるようにした電子機器保持棚を得る。【解決手段】電子機器本体１１と、この電子機器本体１１に対して移動自在に取り付けられ、雄ねじ（嵌合部）３０が設けられたフロントパネル（外装板）と、前記電子機器本体１１を載置する架設部材（載置部）２２と、この架設部材２２が取り付けられ、前記フロントパネルの移動方向に前記雄ねじ３０と嵌合する雌ねじ部２１ａが複数並んで設けられた支柱２１とを備える。【選択図】  図２
2007258538.tif 000002
【特許請求の範囲】
【請求項１】
電子機器本体と、
この電子機器本体に対して移動自在に取り付けられ、嵌合部が設けられた外装板と、
前記電子機器本体を載置する載置部と、
この載置部が取り付けられ、前記外装板の移動方向に前記嵌合部と嵌合する被嵌合部が複数並んで設けられた支柱と
を備えることを特徴とする電子機器保持棚。
【請求項２】
外装板に設けられたガイド用ピンと、
支柱に設けられ、前記ガイド用ピンが挿入されるガイド用穴と
を備え、
このガイド用穴に前記ガイド用ピンが挿入されている状態で、外装板の嵌合部と支柱の被嵌合部とが嵌合することを特徴とする請求項１記載の電子機器保持棚。
【発明の詳細な説明】
【技術分野】
【０００１】
この発明は、電子機器を保持した電子機器保持棚に関し、特に、電子機器保持棚の組み立て作業を容易にするものに関する。
【背景技術】
【０００２】
電子機器保持棚の組み立て作業の効率化は、電子機器保持棚の需要に対して迅速に応えるためにも重要である。
【０００３】
従来、下記特許文献に記載されたユニット収容棚（本願の「電子機器収容棚」と対応）があった。
このユニット収容棚は、汎用ラックの支柱（本願の「支柱」と対応）に、ユニット（本願の「電子機器本体」と対応）に取り付けられたフロントパネル（本願の「外装板」と対応）をねじ止めするものである。
【０００４】
【特許文献１】実開平３−２７０８１号公報
【発明の開示】
【発明が解決しようとする課題】
【０００５】
しかし、電子機器保持棚に保持される電子機器本体は、近年高重量のものが現れてきており、電子機器本体を電子機器保持棚の支柱に取り付けるだけでは、その電子機器本体を十分保持することができない場合がある。
【０００６】
そのため、電子機器本体の重量が増えた場合、電子機器本体を載置して保持する載置部が必要になる。
【０００７】
ところが、載置部に電子機器本体を載置した時点で、外装板と支柱との位置合わせが不十分であると、外装板を貫通させた雄ねじと支柱に形成された雌ねじとを嵌合させる等のように、外装板に設けられた嵌合部と、支柱に設けられた被嵌合部とを嵌合させることができなくなる。その結果、載置部を、支柱から一旦取り外し、適切な位置に調整して取り付けた後、外装板の嵌合部を支柱の被嵌合部に嵌合させる必要が生じる。
【０００８】
このような煩雑な作業が度々生じると、電子機器保持用棚を迅速に提供することができない。
【０００９】
本願はこのような煩雑な作業を解消することにより、電子機器保持棚の組み立て作業を迅速に行うことができるようにし、電子機器収容棚を安価に提供できるようにすることを目的にする。
【課題を解決するための手段】
【００１０】
この発明は、
電子機器本体と、
この電子機器本体に対して移動自在に取り付けられ、嵌合部が設けられた外装板と、
前記電子機器本体を載置する載置部と、
この載置部が取り付けられ、前記外装板の移動方向に延在し、前記嵌合部と嵌合する被嵌合部が設けられた支柱と
を備えることを特徴とする電子機器保持棚。
【発明の効果】
【００１１】
この発明は、
電子機器本体を載置部に載置したまま、支柱に対して外装板を最適な位置に取り付けることができるので、電子機器保持棚を組み立てる際、支柱に対して載置部を取り外す必要がなくなり、迅速な組み立てを実現することができる。
【発明を実施するための最良の形態】
【００１２】
実施の形態１．
図１は、実施の形態１に係る電子機器保持棚の構成を示す三面図である。
図２は、実施の形態１に係る電子機器保持棚の構成を示す斜視図である。
本願発明の実施の形態１に係る電子機器収容棚の構造を図１及び図２に基づいて説明する。
【００１３】
電子機器保持棚１は、電子機器１０が、保持棚２０に雄ねじ（嵌合部）３０によって取り付けられている。
【００１４】
電子機器１０は、電子機器本体１１、取付金具１３、雄ねじ１４、ポリスライダー１５、フロントパネル（外装板）１６及び取手１７を備え、電子機器本体１１に、フロントパネル１６及び取手１７が、取付金具１３、雄ねじ１４、ポリスライダー１５によって取り付けられている。
【００１５】
電子機器本体１１は、電子部品（図示せず）とこの電子部品を覆うシャーシ１２とを備える。
【００１６】
シャーシ１２は折り曲げられた金属板を組み合わせて構成されており、筐体部１２ａと曲げ部１２ｂと大径開口１２ｃを備える。
曲げ部１２ｂは、筐体部１２ａの一部が折り曲げられて形成されている。
大径開口１２ｃは、曲げ部１２ｂ上に形成されている。
切り欠き１２ｄは、曲げ部１２ｂの端部に形成されている。
【００１７】
取付金具１３は、略平板上に形成されており、一部に遊嵌用突起１３ａが突出して形成されている。遊嵌用突起１３ａは円筒状に形成されており、この円筒の外径は、シャーシ１２の大径開口１２ｃの径よりも小さく形成され、大径開口１２ｃに遊嵌するように形成されている。
【００１８】
雄ねじ１４は、取付金具１３の遊嵌用突起１３ａを通じて取付金具１３、シャーシ１２、フロントパネル１６を貫通する。
【００１９】
ポリスライダー１５は、取付金具１３の遊嵌用突起１３ａを避けた位置に貼着された、摩擦係数の低い樹脂であり、取付金具１３がシャーシ１２に対して滑らかに移動できるように構成されている。
【００２０】
フロントパネル１６は、金属製であり、外装面は塗料がコーティングされているが、裏面は電子機器本体１１及び保持棚２０との電気的接触を可能にするために塗料のコーティングはない。また、フロントパネル１６は雄ねじ１４を貫通させる小径開口１６ａが形成されている。フロントパネル１６に形成された開口が小径となっているため、フロントパネル１６と遊嵌用突起１３ａとが当接する。また、フロントパネル１６の端部には、シャーシ１２の切欠１２ｄと略同一の形状に切り欠かれた切欠１６ｂが形成されている。
【００２１】
取手１７は、フロントパネル１６と対向する面に雌ねじ１７ａが形成されており、この雌ねじ１７ａに雄ねじ１４が嵌め込まれる。取手１７の雌ねじ１７ａに雄ねじ１４が嵌められることにより、取付金具１３、フロントパネル１６及び取手は固定されるが、これらは、シャーシ１２に対しては移動可能に取り付けられる。
【００２２】
ポリスライダー１８は、フロントパネル１６の裏面に、小径開口１６ａを避けて貼着された、摩擦係数の低い樹脂であり、フロントパネル１６が取付金具１３に対して滑らかに移動できるように構成されている。
【００２３】
保持棚２０は、支柱２１、架設部材（載置部）２２及び天板２３を備える。
【００２４】
支柱２１は、複数設けられ、それぞれ金属板がＬ字状に折り曲げられて形成されている。これら支柱２１は、各々底板（図示せず）に対して植立して設けられ、互いに平行に配置されている。また、各支柱２１は、シャーシ１２に対してフロントパネル１６が移動する方向に延在し、この延在方向上に等間隔に複数の雌ねじ部（被嵌合部）２１ａ、２１ｂが形成されている。
【００２５】
架設部材２２は、金属板がＬ字状に折り曲げられて形成され、二つの支柱２１の間に架設されている。この架設部材２２上に、電子機器１０が搭載可能に構成されている。
【００２６】
天板２３は、複数の支柱２１に取り付けられ、電子機器本体１１を覆っている。
【００２７】
なお、説明を容易にするため、図２には電子機器保持棚１に側方及び後方の外装板が取り外した状態について説明したが、実際には、側方及び後方にも外装板を取り付けた構成となる。
【００２８】
次に、図１及び図２に基づいて、実施の形態１に係る電子機器保持棚１の動作を説明する。
【００２９】
電子機器保持棚１の組み立て者は、支柱２１の雌ねじ部２１ｂに雄ねじ（図示せず）を組み付け、支柱２１に対して架設部材２２を固定する。
【００３０】
次に、電子機器本体１０を架設部材２２に搭載し、フロントパネル１６の裏面が支柱２１の表面に当接する程度に近づくように、電子機器１０を保持棚２０の内部に移動させる。
【００３１】
電子機器１０が保持棚２０の奥に配置されている状態で、フロントパネルの鉛直方向上の位置を調整し、フロントパネルに形成された切り欠き１６ｂに雄ねじ３０を貫通させ、この雄ねじ３０を支柱の雌ねじ部２１ａに組み付ける。このとき、雄ねじ３０のねじ頭がフロントパネル３０と支柱２１とが圧接する。
【００３２】
以上説明した通り、この実施の形態１は、電子機器本体１１と、この電子機器本体１１に対して移動自在に取り付けられ、雄ねじ（嵌合部）３０が設けられたフロントパネル（外装板）１６と、前記電子機器本体１１を載置する架設部材（載置部）２２と、この架設部材２２が取り付けられ、前記フロントパネル１６の移動方向に前記雄ねじ３０と嵌合する雌ねじ部２１ａが複数並んで設けられた支柱２１とを備える。
【００３３】
従って、電子機器本体１１を架設部材２２に載置したまま、支柱２１に対してフロントパネル１６を最適な位置に取り付けることができるので、電子機器保持棚１を組み立てる際、支柱２１に対して架設部材２２を取り外す必要がなくなり、迅速な組み立てを実現することができる。
【００３４】
実施の形態２．
図３は、実施の形態２に係る電子機器保持棚を示す三面図である。
図４は、実施の形態２に係る電子機器保持棚を示す斜視図である。
実施の形態２に係る電子機器保持棚の構成及び動作を、図３及び図４に基づいて説明する。
【００３５】
実施の形態２に係る電子機器保持棚１ａは、支柱２１に、ガイド用穴２１ｃを設け、フロントパネル１６の裏面にガイド用ピン１６ｃを設けている。その他の構成は図１及び２と同様であるため説明を省略する。
【００３６】
以上説明した通り、実施の形態２に係る電子機器保持棚は、フロントパネル（外装板）１６に設けられたガイド用ピン１６ｃと、支柱２１に設けられ、前記ガイド用ピン１６ｃが挿入されるガイド用穴２１ｃとを備え、このガイド用穴２１ｃに前記ガイド用ピン１６ｃが挿入されている状態で、フロントパネル１６の雄ねじ（嵌合部）３０と支柱２１の雌ねじ部（被嵌合部）２１ａとが嵌合する。
【００３７】
従って、ガイドピン１６ｃをガイド穴２１ｃに挿入しておくことによって、フロントパネル１６を支柱２１に対して保持しておくことができるので、雄ねじ３０を雌ねじ部２１ａに組み付ける作業をより迅速に行うことができる。
【図面の簡単な説明】
【００３８】
【図１】本願発明の実施の形態１に係る電子機器保持棚を示す三面図である。
【図２】本願発明の実施の形態１に係る電子機器保持棚を示す斜視図である。
【図３】本願発明の実施の形態２に係る電子機器保持棚を示す三面図である。
【図４】本願発明の実施の形態２に係る電子機器保持棚を示す斜視図である。
【符号の説明】
【００３９】
１：電子機器保持棚
１１：電子機器本体１１
１６：フロントパネル（外装板）
２２：架設部材（載置部）
２１：支柱
【図１】
2007258538.tif 000003
【図２】
2007258538.tif 000004
【図３】
2007258538.tif 000005
【図４】
2007258538.tif 000006